(57)【特許請求の範囲】
【請求項１】
上部に投入口を下部に排出口を有する容器に上記排出口を開閉可能に設けた排出用ゲートを有し、上記容器の両側面に上記排出用ゲートを支持する枢軸を設け、上記排出用ゲートには該ゲートの開閉時にヒンジとなる回動支点を設け、上記排出用ゲートが円滑に開閉作動するように上記回動支点にフランジ付きの滑り軸受けを嵌入し、上記排出用ゲートの回動支点は嵌入した上記フランジ付き滑り軸受けと共に上記枢軸に嵌合することにより上記排出用ゲートを回動自在に枢支し、上記回動支点に嵌入した上記フランジ付き滑り軸受けのフランジ部の厚み部分を外側から覆うカバーを設けた構造のホッパ用ゲート装置において、上記回動支点に嵌入した上記フランジ付き滑り軸受けを外側から覆うカバーは、円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、上記折り曲げた形状の外周縁部に複数の水抜き用切り欠きを設けたことを特徴とするカバーであり、上記複数の水抜き用切り欠きを設けたカバーを用いた構造のホッパ用ゲート装置。
【請求項２】
前記排出用ゲートの回動支点に嵌入したフランジ付き滑り軸受けを外側から覆うカバーは円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、上記折り曲げた形状の外周縁部に複数の水抜き用孔を設けたことを特徴とするカバーであり、上記複数の水抜き用孔を設けたカバーを用いた構造の請求項１に記載のホッパ用ゲート装置。
【請求項３】
前記排出用ゲートの回動支点に嵌入したフランジ付き滑り軸受けを外側から覆うカバーは円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、該折り曲げたカバーの内側に上記滑り軸受けの内径と接するカラーが一体的に形成されたことを特徴とし、該一体的に形成されたカバーを用いた構造の請求項１に記載のホッパ用ゲート装置。
【請求項４】
上部に投入口を下部に排出口を有する容器に上記排出口を開閉可能に設けた排出用ゲートを有するホッパ用ゲート装置において、上記容器の両側面には容器補強部材と該容器補強部材に設けたボスと、該ボスに設けた上記排出用ゲートを支持する枢軸とを設け、上記排出用ゲートは排出用ゲート部材およびゲート部材補強板により構成されており、該ゲート部材補強板にはゲート開閉時にヒンジとなる回動支点を設け、上記排出用ゲートが円滑に開閉作動するように上記回動支点にフランジ付き滑り軸受けを嵌入し、上記排出用ゲートの回動支点は嵌入したフランジ付き滑り軸受けと共に、上記ゲートを支持する枢軸に嵌合することにより上記排出用ゲートを回動自在に枢支し、上記ゲート部材補強板の回動支点には上記フランジ付き滑り軸受けを嵌入したとき、該フランジ付き滑り軸受けのフランジ部の厚み部分が全て嵌め込まれる窪みを上記ゲート部材補強板に設けたことを特徴とし、更に上記フランジ付き滑り軸受けの外側に、該フランジ付き滑り軸受けのフランジの直径とほぼ同等の直径の平座金を設けたことを特徴とするホッパ用ゲート装置。
【発明の詳細な説明】
【０００１】
【発明の属する技術分野】
この発明は、主としてホッパのゲート開閉部分のヒンジに用いられる滑り軸受けのカバーに関する。
【０００２】
【従来の技術】
物品を収容するホッパのゲート開閉ヒンジ部分を図５に示す。図５はホッパを投入口側から見た一隅部を示したもので、側面図は省略している。一般にこの種のホッパは上部に投入口を有し下部に排出口を有するもので、該排出口はゲートによって閉じられており上部より物品を投入すると貯留できるようになっている。図５において、１は物品を収容する容器で、その外側面に溶接等で固着された容器補強部材２を有しこの補強部材に更にボス３が固着されており、排出ゲートを構成する排出用ゲート部材４とゲート部材補強板５と該補強板に嵌め込まれた滑り軸受け６と該滑り軸受け６の内径によって滑り回転するカラー７とワッシャー８およびバネ座金９とゲート開閉の枢軸を成すボルト１０とにより構成されている。そしてこのような構成でもってホッパを形成している。また該ホッパは固定部材（図示せず）に把持されておりゲートは外部より自由に開閉できるようになっている。いま、ゲート開閉アーム部１１（ゲート補強板兼用）に外部から力を加えゲートを開く方向に作動させるとホッパ内部の物品は外部に排出される。
【０００３】
通常の使用状態においては、上部から物品を投入しゲートを開けて排出することを繰り返しているが、長期間の使用により使用回数が累積されてくると、滑り回転している滑り軸受けが摩耗してくる、特に樹脂製の滑り軸受けは無潤滑で使用することができるという利点があるものの早く摩耗するものと思われる、気づかぬうちに摩耗が進み破損して脱落する場合がある。この状況を図５にて詳述すると、滑り軸受け６の内径とカラー７の外径との間で滑動しており滑り軸受け６が樹脂の場合はその内径が徐々に大きくなり通称ガタができて変形した摩耗が起こり極端な場合は破損して脱落する。カラー７の端面にはワッシャー８が当接しているが脱落を防止できない、脱落すると物品の中に混入して製品不良を発生させる、また物品が食品である場合は常に細心の注意を払っていなければならない。
【０００４】
【発明が解決しようとする課題】
このような状況から、本発明は滑り軸受けが摩耗して破損しても脱落して製品に混入しないこと、また破損片が製品に混入することによる計量精度の悪化を防止することを課題とする。
【０００５】
【課題を解決するための手段】
第１の発明は、上部に投入口を下部に排出口を有する容器に上記排出口を開閉可能に設けた排出用ゲートを有し、上記容器の両側面に上記排出用ゲートを支持する枢軸を設け、上記排出用ゲートには該ゲートの開閉時にヒンジとなる回動支点を設け、上記排出用ゲートが円滑に開閉作動するように上記回動支点にフランジ付きの滑り軸受けを嵌入し、上記排出用ゲートの回動支点は嵌入した上記フランジ付き滑り軸受けと共に上記枢軸に嵌合することにより上記排出用ゲートを回動自在に枢支し、上記回動支点に嵌入した上記フランジ付き滑り軸受けのフランジ部の厚み部分を外側から覆うカバーを設けた構造のホッパ用ゲート装置において、上記回動支点に嵌入した上記フランジ付き滑り軸受けを外側から覆うカバーは、円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、上記折り曲げた形状の外周縁部に複数の水抜き用切り欠きを設けたことを特徴とするカバーであり、上記複数の水抜き用切り欠きを設けたカバーを用いた構造のホッパ用ゲート装置とするものである。
【０００６】
第２の発明は、前記排出用ゲートの回動支点に嵌入したフランジ付き滑り軸受けを外側から覆うカバーは円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、上記折り曲げた形状の外周縁部に複数の水抜き用孔を設けたことを特徴とするカバーであり、上記複数の水抜き用孔を設けたカバーを用いた構造のホッパ用ゲート装置とするものである。
【０００７】
第３の発明は、前記排出用ゲートの回動支点に嵌入したフランジ付き滑り軸受けを外側から覆うカバーは円形ワッシャーの縁部の全周を折り曲げた形状のカバーであり、該折り曲げた形状の折り曲げ量は上記フランジ付き滑り軸受けのフランジ部の厚み相当分として、上記フランジ付き滑り軸受けのフランジ部分を外側から覆うカバーを成し、該折り曲げたカバーの内側に上記滑り軸受けの内径と接するカラーが一体的に形成されたことを特徴とし、該一体的に形成されたカバーを用いた構造のホッパ用ゲート装置とするものである。
【０００８】
第４の発明は、上部に投入口を下部に排出口を有する容器に上記排出口を開閉可能に設けた排出用ゲートを有するホッパ用ゲート装置において、上記容器の両側面には容器補強部材と該容器補強部材に設けたボスと、該ボスに設けた上記排出用ゲートを支持する枢軸とを設け、上記排出用ゲートは排出用ゲート部材およびゲート部材補強板により構成されており、該ゲート部材補強板にはゲート開閉時にヒンジとなる回動支点を設け、上記排出用ゲートが円滑に開閉作動するように上記回動支点にフランジ付き滑り軸受けを嵌入し、上記排出用ゲートの回動支点は嵌入したフランジ付き滑り軸受けと共に、上記ゲートを支持する枢軸に嵌合することにより上記排出用ゲートを回動自在に枢支し、上記ゲート部材補強板の回動支点には上記フランジ付き滑り軸受けを嵌入したとき、該フランジ付き滑り軸受けのフランジ部の厚み部分が全て嵌め込まれる窪みを上記ゲート部材補強板に設けたことを特徴とし、更に上記フランジ付き滑り軸受けの外側に、該フランジ付き滑り軸受けのフランジの直径とほぼ同等の直径の平座金を設けたことを特徴とするホッパ用ゲート装置とするものである。
【００１１】
【発明の作用と効果】
本発明のホッパ用ゲート装置は、例えば組合せ秤に使用される場合がある。組合せ秤では本発明のホッパが複数個、円形や直線に配置され、その下流には集合シュートを配した構成とすることがある。各ホッパには秤が対応して設けられており、それらのホッパに上部より物品が供給される。物品の供給を受けた秤は重量を計測し重量値として記憶する。そしてそれらの記憶値を用いて組み合わせ演算が行われ目標重量となる複数のホッパが選択される。それらの選択されたホッパの中の物品は下流の集合シュートに排出され、集合シュートでは選択され排出されたホッパからの物品を一纏めにして次工程（例えば包装機等）に送る。
【００１２】
ところで組合せ秤では各ホッパは確率的に選択された動作をしており、長期の目で見ればほぼ均等に作動しているものと考えられるが、時に、物品の供給に変化が起こり片寄り供給が発生することがあり、組合せ選択においても特定のホッパが頻繁に選ばれることがある。このようになると、この状態がしばらく続き、元の物品の供給状態が安定しない限り復旧しない場合がある。その結果、使用頻度が著しく高いホッパが発生する。しかし本発明によると、現場での設備管理者や運転管理者がたとえ事故発生前に上記滑り軸受けの極度の摩耗を見逃していて破損していても脱落することがなく、滑り軸受けの破片が製品に混入することもない、また計量誤差の要因となることもない。
【００１３】
【発明の実施の形態】
以下、本発明の実施の形態を各図を参照しながら説明する。各図に対応する番号は同一箇所並びに同一部分を示す場合は同一番号とした。図１は本発明の第１の実施例を示す図で、排出用ゲートの回動支点部の断面構造の一部を示す図である。１は容器であり図示しないが上部に投入口としての開口部と下部には排出用の開口部を有するもので容器補強部材２が主にスポット溶接等で容器１に固着されている。そして、容器補強部材２にはボス３が同じく溶接等で固着されている。４は排出用ゲート部材で、その外側にゲート部材補強板５がスポット溶接等で固着されており、該ゲートの回動支点となる位置に滑り軸受け６が嵌入されている。一方容器補強部材２及びボス３はゲート回動の枢軸を成す位置に設けられ、ボルト１０をねじ込むことによりボルト１０にて該ゲートを枢支するものである。ボルト１０にはカラー７を介して滑り軸受けと嵌合しており、カラー７の外周と滑り軸受けの内周にて摺動回転し回動自在に枢支されている。そして本発明のカバー１２が滑り軸受けを覆うようにボルト１０と共に固着されており、該カバーと滑り軸受けとは非接触の構造となっている。この状態で、ゲート開閉用アーム１１には外部から該ゲートを開閉する方向に力を加え作動させる。
【００１４】
図２は本発明の第１の実施例において、前述の回動支点に嵌入した滑り軸受けを覆うカバーの形状が図２に示すように、１２Ａ、１２Ｂ、１２Ｃの３種類の態様であることを示したものである。
【００１５】
図３は第１の実施例のもう１つの態様１２Ｄにおける構造を示している。本図が図１と異なるところは、外周を折り曲げたカバー１２の内側に滑り軸受けの内径と接するカラー７がカバー１２と一体的に形成されているものである。
【００１６】
図４は本発明の第２の実施例を示すもので、ゲート部材補強板５に滑り軸受けのフランジ部分を嵌め込むための窪み１３を設けたものである。そして滑り軸受けのフランジ部の外径と窪み１３の内径には多少の隙間を設けることも可能である。滑り軸受けが脱落しないように滑り軸受けの外側には滑り軸受けのフランジの直径とほぼ同等の直径の平座金８にてカラー７と当接するようにボルト１０にて固着されている。
【図面の簡単な説明】
【図１】  本発明の第１の実施例で滑り軸受けを外部から覆うカバーを示す図。
【図２】  本発明の図１に示すカバーの他の形状を示す図。
【図３】  本発明の第１の実施例における他のカバー形状を示す図。
【図４】  本発明の第２の実施例で滑り軸受けを覆う別の態様を示す図。
【図５】  従来のホッパゲート開閉ヒンジ部を示す図。
【付号の説明】
１  容器
２  容器補強部材
３  ボス
４  排出用ゲート部材
５  ゲート部材補強板
６  滑り軸受け
７  カラー
８  ワッシャー
９  バネ座金
１０  ボルト
１１  ゲート開閉アーム部
１２  カバー（王冠）
１３  窪み
【図１】
0004047576.tif 000002
【図２】
0004047576.tif 000003
【図３】
0004047576.tif 000004
【図４】
0004047576.tif 000005
【図５】
0004047576.tif 000006